(57)【特許請求の範囲】
【請求項１】
表側に光透過性部材が、裏側に光不透過性部材が重ねられたパネルと、
前記光透過性部材および前記光不透過性部材を貫通する貫通部と、
前記貫通部に設置される導光部材と、
前記パネルの裏側から前記導光部材へ向けて光を発して前記導光部材を光らせる光源とを備え、
前記貫通部の内壁面には、前記光不透過性部材が前記光透過性部材側へ突出して前記導光部材の周りを覆う形状の遮光リブが形成され、
前記遮光リブの厚みは、前記光不透過性部材側より前記光透過性部材側で薄いことを特徴とする光インジケータ構造。
【請求項２】
表側に光透過性部材が、裏側に光不透過性部材が重ねられたパネルと、
前記光透過性部材および前記光不透過性部材を貫通する貫通部と、
前記貫通部に設置される導光部材と、
前記パネルの裏側から前記導光部材へ向けて光を発して前記導光部材を光らせる光源とを備え、
前記貫通部の内壁面には、前記光不透過性部材が前記光透過性部材側へ突出して前記導光部材の周りを覆う形状の遮光リブが形成され、
前記貫通部の内径は、前記光透過性部材側より前記光不透過性部材側で大きいことを特徴とする光インジケータ構造。
【請求項３】
前記遮光リブは、前記貫通部の前記光透過性部材側の開口端まで届く高さであることを特徴とする請求項１又は請求項２記載の光インジケータ構造。
【請求項４】
前記遮光リブは、前記貫通部の前記光透過性部材側の開口端まで届かない高さであることを特徴とする請求項１又は請求項２記載の光インジケータ構造。
【請求項５】
請求項１から請求項４のうちのいずれか１項記載の光インジケータ構造を備えた車載機器。
【発明の詳細な説明】
【技術分野】
【０００１】
この発明は、光源の光を導光して発光面を光らせる光インジケータ構造、および光インジケータ構造を用いた車載機器に関するものである。
【背景技術】
【０００２】
例えば特許文献１に係る車両用表示装置は、複数の表示領域を有する液晶表示装置と、表示領域を表示方向後方から照明する光源と、光源の発する光を導いて表示領域のうちの特定表示領域を透過照明する導光体とを備え、複数の表示領域のうちの少なくとも一つの表示領域の表示色を異なる透過照明光により切り換える構成である。隣り合う導光体の間には遮蔽部が設けられており、両者のいずれか一方から他方への光の漏れが抑制される。
【０００３】
また、例えば特許文献２に係るメータ装置は、背面側から導かれた光源の光が透過して発光表示する表示部が表面に形成された樹脂製の表示用部材と、表示用部材の裏面側に設けられて表示用部材の内部に進入した光が裏面側に透過するのを妨げる遮光性を有する遮光層と、遮光層から表示用部材の裏面方向に突出されてハウジングに固定する突出部材とを備える構成である。光源から光が表示用部材へ進入した際に、その光が突出部材方向へ進行するのが遮光層により妨げられるため、遮光層と一体の突出部材からの光漏れが防止される。
【先行技術文献】
【特許文献】
【０００４】
【特許文献１】特開２０１０−１９６０１号公報
【特許文献２】特開２００９−１１５７０３号公報
【発明の概要】
【発明が解決しようとする課題】
【０００５】
ディスク挿入口が筐体前面に形成されたオーディオ装置は、夜間などの周囲が暗い状況でもディスク挿入口の位置がわかるように、ディスク挿入口の左右にプリズムなどの導光部材を設置して光らせる仕様になっていることがある。このようなオーディオ装置の意匠性を高めるために、筐体前面の光不透過性部材を光透過性部材で被覆する構造の要望がある。この構造にした場合、導光部材の周りに意匠用の光透過性部材が配置されるため、光源の光が導光部材を通って光透過性部材に漏れ、筐体前面において導光部材以外の意図しない箇所が光ってしまうという現象が発生した。
【０００６】
上記特許文献１，２では導光部材の周りに意匠用の光透過性部材が配置された構造について考慮されていないため、上記構造において導光部材から光透過性部材への光漏れを防止するために特許文献１，２の技術を使用することができないという課題があった。
【０００７】
この発明は、上記のような課題を解決するためになされたもので、導光部材の周りに光透過性部材が配置された構造において導光部材から光透過性部材への光漏れを防止することを目的とする。
【課題を解決するための手段】
【０００８】
この発明に係る光インジケータ構造は、表側に光透過性部材が、裏側に光不透過性部材が重ねられたパネルと、光透過性部材および光不透過性部材を貫通する貫通部と、貫通部に設置される導光部材と、パネルの裏側から導光部材へ向けて光を発して導光部材を光らせる光源とを備え、貫通部の内壁面には、光不透過性部材が光透過性部材側へ突出して導光部材の周りを覆う形状の遮光リブが形成され、遮光リブの厚みは、光不透過性部材側より光透過性部材側で薄いものである。
【発明の効果】
【０００９】
この発明によれば、光不透過性部材が光透過性部材側へ突出して導光部材の周りを覆うようにしたので、導光部材から光透過性部材への光漏れを防止することができる。
【図面の簡単な説明】
【００１０】
【図１】この発明の実施の形態１に係る光インジケータ構造を適用したオーディオ装置の構成例を示す斜視図である。
【図２】図１に枠線Ａで囲った部分の拡大図であり、実施の形態１に係る光インジケータ構造を示す。
【図３】実施の形態１に係る光インジケータ構造を図２のＢＢ線に沿って切断した断面図である。
【図４】実施の形態１に係る光インジケータ構造を図２のＣＣ線に沿って切断した断面図である。
【図５】この発明の理解を助けるための参考例として、遮光リブがない光インジケータ構造を示す拡大図である。
【図６】図５に示す参考例の光インジケータ構造をＢＢ線に沿って切断した断面図である。
【図７】図５に示す参考例の光インジケータ構造をＣＣ線に沿って切断した断面図である。
【図８】この発明の実施の形態２に係る光インジケータ構造を示す拡大図であり、図１に示したオーディオ装置のうちの枠線Ａで囲った部分に相当する。
【図９】実施の形態２に係る光インジケータ構造を図８のＢＢ線に沿って切断した断面図である。
【図１０】実施の形態２に係る光インジケータ構造を図８のＣＣ線に沿って切断した断面図である。
【図１１】この発明の実施の形態３に係る光インジケータ構造を示す拡大図であり、図１に示したオーディオ装置のうちの枠線Ａで囲った部分に相当する。
【図１２】実施の形態３に係る光インジケータ構造を図１１のＢＢ線に沿って切断した断面図である。
【図１３】実施の形態３に係る光インジケータ構造を図１１のＣＣ線に沿って切断した断面図である。
【図１４】この発明の実施の形態４に係る光インジケータ構造を、図２のＢＢ線に相当する位置で切断した断面図である。
【図１５】実施の形態４に係る光インジケータ構造を、図２のＣＣ線に相当する位置で切断した断面図である。
【図１６】実施の形態４に係る光インジケータ構造の変形例を、図８のＢＢ線に相当する位置で切断した断面図である。
【図１７】実施の形態４に係る光インジケータ構造の変形例を、図８のＣＣ線に相当する位置で切断した断面図である。
【発明を実施するための形態】
【００１１】
以下、この発明をより詳細に説明するために、この発明を実施するための形態について、添付の図面に従って説明する。
実施の形態１．
図１は、実施の形態１に係る光インジケータ構造５を適用したオーディオ装置１の構成例を示す斜視図である。車載用のオーディオ装置１は、ディスクプレイヤなどが収容された筐体２と、筐体２の前面に取り付けられた意匠用のパネル３を備えている。パネル３には、ディスク挿入口４が開口しており、夜間などの周囲が暗い状況でもディスク挿入口４の位置がわかるように、ディスク挿入口４の左右に光インジケータ構造５が配置されて光るようになっている。また、パネル３にはディスプレイ６が設置されている。
【００１２】
図２は、図１に枠線Ａで囲った部分の拡大図であり、実施の形態１に係る光インジケータ構造５を示す。図３は、光インジケータ構造５を図２のＢＢ線で切断した断面図である。図４は、光インジケータ構造５を図２のＣＣ線で切断した断面図である。なお、図２において、光透過性部材１１で隠れた部分は破線で示す。
【００１３】
パネル３は、表側に光透過性部材１１が、裏側に光不透過性部材１２が重ねられた構成である。例えば、光透過性部材１１は半透明の樹脂、光不透過性部材１２は黒色の樹脂であり、２色成形により一体化されている。このパネル３の光透過性部材１１と光不透過性部材１２を貫通するように、貫通部１３が形成されている。なお、図示例では、ディスク挿入口４の開口部とひとつながりで貫通部１３が形成されているため、貫通部１３は切り欠き形状になっているが、光透過性部材１１と光不透過性部材１２を貫通していればどのような形状であってもよい。
【００１４】
貫通部１３の中には、プリズムなどの導光部材１４が設置されている。パネル３の裏側、つまり光不透過性部材１２側には、ＬＥＤ（Ｌｉｇｈｔ  Ｅｍｉｔｔｉｎｇ  Ｄｉｏｄｅ）などの光源１５が設置されている。光源１５が発した光は、導光部材１４に入射してその内部で拡散し、導光部材１４を光らせる。図１のオーディオ装置１においては、光インジケータ構造５の導光部材１４がディスク挿入口４の左右に配置されているので、ディスク挿入口４の左右が光ることになる。
【００１５】
なお、光透過性部材１１は、半透明の樹脂に限らず、光源１５の光が透過する部材であれば何でもよい。光不透過性部材１２は、黒色の樹脂に限らず、光源１５の光が透過しない部材であれば何でもよい。光源１５は、ＬＥＤに限らず、光を発するものであれば何でもよい。
【００１６】
貫通部１３の内壁面には、光不透過性部材１２が光透過性部材１１側へ突出して導光部材１４の周りを覆う形状の遮光リブ２１が形成されている。この遮光リブ２１は、光不透過性部材１２と一体に構成されているので、光源１５の光は透過しない。従って、導光部材１４のうち、遮光リブ２１で覆われていない部分の光だけが視認可能となる。導光部材１４が光って見える部分を、図３および図４に点灯エリアＥとして示す。実施の形態１では遮光リブ２１を貫通部１３の光透過性部材１１側の開口端まで届く高さにして、遮光リブ２１の先端をパネル３の表側に露出させているので、導光部材１４と光透過性部材１１との間を途切れることなく遮光リブ２１が覆って光漏れを確実に防止できる。
【００１７】
ここで、実施の形態１の理解を助ける参考例として、遮光リブ２１がない光インジケータ構造５を図５〜図７に示す。図５は、遮光リブ２１がない光インジケータ構造５を示す拡大図であり、図１に枠線Ａで囲った部分に相当する。図６は、遮光リブ２１がない光インジケータ構造５を図５のＢＢ線で切断した断面図である。図７は、遮光リブ２１がない光インジケータ構造５を図５のＣＣ線で切断した断面図である。なお、図５において、光透過性部材１１で隠れた部分は破線で示す。
【００１８】
図５〜図７に示す参考例では、導光部材１４の周りに光透過性部材１１が配置されているため、導光部材１４の内部で拡散した光が、導光部材１４に隣接した光透過性部材１１に漏れる。図６および図７に二点鎖線で示すように、光透過性部材１１に光が漏れると、点灯エリアＥだけでなくその周囲も光ってしまう。
これに対し、図２〜図４に示した実施の形態１の構成では、導光部材１４と光透過性部材１１の間に遮光リブ２１が配置されているため、オーディオ装置１の内部で拡散した光が、光透過性部材１１に漏れない。よって、点灯エリアＥだけが光る。
【００１９】
以上より、実施の形態１によれば、光インジケータ構造５は、光透過性部材１１と光不透過性部材１２を貫通する貫通部１３の内壁面に、光不透過性部材１２が光透過性部材１１側へ突出して導光部材１４の周りを覆う形状の遮光リブ２１を形成したので、導光部材１４の周りに配置された光透過性部材１１への光漏れを防止することができる。
【００２０】
また、実施の形態１によれば、遮光リブ２１を、貫通部１３の光透過性部材１１側の開口端まで届く高さにしたので、導光部材１４から光透過性部材１１への光漏れを確実に防止することができる。
【００２１】
実施の形態２．
図８は、実施の形態２の遮光リブ２２を備えた光インジケータ構造５を示す拡大図であり、上記実施の形態１の図１に示したオーディオ装置１のうちの枠線Ａで囲った部分に相当する。図９は、遮光リブ２２を備えた光インジケータ構造５を、図８のＢＢ線で切断した断面図である。図１０は、遮光リブ２２を備えた光インジケータ構造５を、図８のＣＣ線で切断した断面図である。なお、図８において、光透過性部材１１で隠れた部分は破線で示す。また、図８〜図１０において、図１〜図４と同一または相当の部分については同一の符号を付し説明を省略する。
【００２２】
実施の形態２の遮光リブ２２は、貫通部１３の光透過性部材１１側の開口端まで届かない高さに形成されており、遮光リブ２２の先端はパネル３の表側に露出しない。
この構成の場合、貫通部１３の光透過性部材１１側の開口端に遮光リブ２２がなく、光透過性部材１１と導光部材１４とが接しているため、導光部材１４から光透過性部材１１へ光が漏れることになるが、図５〜図７で示したように遮光リブ２２が全くない場合に比べると光透過性部材１１と導光部材１４が接する面積が小さいので漏れ量が少ない。
また、遮光リブ２２は、その先端がパネル３の表側に露出しないため、図２〜図４で示した実施の形態１の遮光リブ２１に比べて意匠性が高い。
【００２３】
オーディオ装置１の表面を光透過性部材１１で被覆したことによる意匠性よりも遮光による意匠性を重要視する場合には上記実施の形態１で説明した遮光リブ２１を採用し、反対に、遮光による意匠性よりもオーディオ装置１の表面を光透過性部材１１で被覆したことによる意匠性を重要視する場合には本実施の形態２で説明した遮光リブ２２を採用するとよい。
【００２４】
実施の形態３．
図１１は、実施の形態３の遮光リブ２３を備えた光インジケータ構造５を示す拡大図であり、上記実施の形態１の図１に示したオーディオ装置１のうちの枠線Ａで囲った部分に相当する。図１２は、遮光リブ２３を備えた光インジケータ構造５を、図１１のＢＢ線で切断した断面図である。図１３は、遮光リブ２３を備えた光インジケータ構造５を、図１１のＣＣ線で切断した断面図である。なお、図１１において、光透過性部材１１で隠れた部分は破線で示す。また、図１１〜図１３において、図１〜図４と同一または相当の部分については同一の符号を付し説明を省略する。
【００２５】
実施の形態３の遮光リブ２３は、その厚みが光不透過性部材１２側より光透過性部材１１側で薄い形状である。図示例では、遮光リブ２３の外面がテーパ状になっており、光不透過性部材１２側から光透過性部材１１側へ向かうにつれて遮光リブ２３の厚みが薄くなる。
この構成の場合、貫通部１３の内壁面において、光透過性部材１１と導光部材１４との間を途切れることなく遮光リブ２３が覆っているので、光透過性部材１１への光漏れを確実に防止できる。
また、遮光リブ２３は、その先端がパネル３の表側に露出しないため、図２〜図４で示した実施の形態１の遮光リブ２１に比べて意匠性が高い。
【００２６】
このように、本実施の形態３で説明した遮光リブ２３は、オーディオ装置１の表面を光透過性部材１１で被覆したことによる意匠性と遮光による意匠性の両方を満たすことが可能である。
【００２７】
なお、図示は省略するが、例えば遮光リブ２３の外面を階段状にして、遮光リブ２３の厚みが光不透過性部材１２側より光透過性部材１１側で薄くなるように構成してもよい。また、図８〜図１０で示した実施の形態２の遮光リブ２２についても、その外面をテーパ状にしたり階段状にしたりすることによって厚みを調整してもよい。
【００２８】
実施の形態４．
図１４は、実施の形態４に係る光インジケータ構造５を、図２のＢＢ線に相当する位置で切断した断面図である。図１５は、実施の形態４に係る光インジケータ構造５を、図２のＣＣ線に相当する位置で切断した断面図である。図１４と図１５において、上記実施の形態１の図１〜図４と同一または相当の部分については同一の符号を付し説明を省略する。
【００２９】
導光部材１４が大きいほど、光源１５からの光を当該導光部材１４の内部で拡散しやすくなるため、明るさのムラが軽減される。そこで、実施の形態４では、貫通部１３の内径を大きくして、より大きな導光部材１４を設置可能にする。
【００３０】
図５〜図７に示した参考例では、導光部材１４からの光漏れを防止するために、貫通部１３の光透過性部材１１側の内径と光不透過性部材１２側の内径は略同じになっている。また、明るさのムラを軽減するために、貫通部１３の光不透過性部材１２側の開口端にＣ面を形成するなどして、導光部材１４を設置する空間を広げていた。
【００３１】
これに対し、本実施の形態４では、貫通部１３の内壁面において遮光リブ２１の分だけ光不透過性部材１２が長くのびているため、貫通部１３の光透過性部材１１側の内径Ｄ１１より光不透過性部材１２側の内径Ｄ１２を、上記参考例よりもオーディオ装置１の表面に近い位置から大きくしはじめたとしても、導光部材１４からの光漏れがない。そこで、図１４と図１５では、貫通部１３の光透過性部材１１側の内径Ｄ１１より光不透過性部材１２側の内径Ｄ１２を大きくする目的で、貫通部１３の光不透過性部材１２側の開口端のＣ面３０を、上記参考例のＣ面に比べて大きく形成している。これにより、実施の形態４では、遮光リブ２１のない参考例に比べて大きな導光部材１４を使用でき、明るさのムラを軽減できる。
【００３２】
なお、図示は省略するが、例えば貫通部１３の内壁面を階段状にして、光透過性部材１１側の内径Ｄ１１より光不透過性部材１２側の内径Ｄ１２が大きくなるように構成してもよい。
【００３３】
本実施の形態４の構成は、上記実施の形態１だけでなく、上記実施の形態２または実施の形態３に対して組み合わせることも可能である。以下に、図１６と図１７を用いて、本実施の形態４を実施の形態２と組み合わせた例を説明する。
【００３４】
図１６は、実施の形態４に係る光インジケータ構造５の変形例を、図８のＢＢ線に相当する位置で切断した断面図である。図１７は、実施の形態４に係る光インジケータ構造５の変形例を、図８のＣＣ線に相当する位置で切断した断面図である。図１６と図１７において、図８〜図１０と同一または相当の部分については同一の符号を付し説明を省略する。
【００３５】
図１６と図１７に示す光インジケータ構造５の変形例においても、貫通部１３の光透過性部材１１側の内径Ｄ１１より光不透過性部材１２側の内径Ｄ１２を大きくする目的で、貫通部１３の光不透過性部材１２側の開口端のＣ面３０が、図６と図７に示した参考例のＣ面に比べて大きく形成されている。これにより、遮光リブ２２のない参考例に比べて大きな導光部材１４を使用でき、明るさのムラを軽減できる。
【００３６】
上記実施の形態１〜４に例示したオーディオ装置だけでなくナビゲーション装置などの車載機器は、高い意匠性が要求されることがあり、光不透過性部材を光透過性部材で被覆した意匠パネルが用いられる場合がある。そのような車載機器に対して、本発明に係る光インジケータ構造を適用することにより、光漏れを防止することができる。もちろん、車載機器だけでなく、家庭用電化製品などに対しても本発明に係る光インジケータ構造を適用可能である。
また、本発明に係る光インジケータ構造は、点灯してディスク挿入口の位置を示す用途だけでなく、点灯か消灯かによって車載機器等の電源がオン状態かオフ状態かを示す用途などに用いることも可能である。
【００３７】
なお、本発明はその発明の範囲内において、各実施の形態の自由な組み合わせ、各実施の形態の任意の構成要素の変形、または各実施の形態の任意の構成要素の省略が可能である。
【符号の説明】
【００３８】
１  オーディオ装置（車載機器）、２  筐体、３  パネル、４  ディスク挿入口、５  光インジケータ構造、６  ディスプレイ、１１  光透過性部材、１２  光不透過性部材、１３  貫通部、１４  導光部材、１５  光源、２１，２２，２３  遮光リブ、３０  Ｃ面、Ｄ１１，Ｄ１２  貫通部の内径、Ｅ  点灯エリア。
【図１】
0006381464.tif 000002
【図２】
0006381464.tif 000003
【図３】
0006381464.tif 000004
【図４】
0006381464.tif 000005
【図５】
0006381464.tif 000006
【図６】
0006381464.tif 000007
【図７】
0006381464.tif 000008
【図８】
0006381464.tif 000009
【図９】
0006381464.tif 000010
【図１０】
0006381464.tif 000011
【図１１】
0006381464.tif 000012
【図１２】
0006381464.tif 000013
【図１３】
0006381464.tif 000014
【図１４】
0006381464.tif 000015
【図１５】
0006381464.tif 000016
【図１６】
0006381464.tif 000017
【図１７】
0006381464.tif 000018